【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
電子的調光可能光学装置であって、
ａ．電子的に切り替え可能な能動吸収偏光子であって、当該能動吸収偏光子は、印加される電圧に応じて光の選択された偏波の吸収を変更し、これにより、エネルギーが与えられていない時に前記能動吸収偏光子がいずれかの偏波の光を送出する、能動吸収偏光子と、
ｂ．第１の静的反射偏光子と、
ｃ．電子的に切り替え可能な能動偏極回転子と、
ｄ．第２の静的反射偏光子と、
を含む電子的調光可能光学装置であって、
前記装置は、前記能動吸収偏光子に電圧が印加されていない時に最大の反射率を有し、前記能動吸収偏光子に最大電圧が印加された時に最小の反射率を有するよう構成された、光学装置。
【請求項２】
前記第２の静的反射偏光子に隣接するビームストップを更に含み、該ビームストップは、該ビームストップに到達するすべての光を吸収する、請求項１に記載の光学装置。
【請求項３】
ａ．前記能動吸収偏光子は、電圧の印加によって活性化されたときに、ｘ方向に吸収軸を有し、
ｂ．前記第１の静的反射偏光子は、前記ｘ方向に反射軸を有し、
ｃ．前記能動偏極回転子は、電圧の印加によって活性化されたときに、入射光の偏極軸を９０°だけ回転させ、
ｄ．前記第２の静的反射偏光子は、ｙ方向に反射軸を有し、
前記電圧が印加されたときに、前記光学装置の反射率が低減される、請求項１に記載の光学装置。
【請求項４】
ａ．前記能動吸収偏光子は、電圧を印加することにより活性化されたときに、ｘ方向に吸収軸を有し、
ｂ．前記第１及び第２の静的反射偏光子は、前記ｘ方向に反射軸を有し、
ｃ．前記能動偏極回転子は、非活性状態のときに、入射光の前記偏極軸を９０°だけ回転させ、
前記電圧が印加されたときに、前記光学装置の反射率が低減される、請求項１に記載の光学装置。
【請求項５】
前記装置は、可視光スペクトルの選択的波長を反射する電子的調光可能ミラーである、請求項１に記載の光学装置。
【請求項６】
前記装置は、可視光スペクトルの選択的波長を吸収する電子的調光可能ミラーである、請求項１に記載の光学装置。
【請求項７】
前記装置は、前記装置が電圧の印加によって活性化されないときに最小透過率を有する透過装置である、請求項１に記載の光学装置。
【請求項８】
前記装置の前記反射率は、自動的に、手動で、又は自動と手動制御の両方の組み合わせで制御される、請求項１に記載の光学装置。
【請求項９】
前記装置は、前記装置の最大反射率状態にあるときに入射光の５０％超を反射する、請求項１に記載の光学装置。
【請求項１０】
前記装置の最大反射状態と最小反射状態との間の振幅は、５０％より大きい、請求項１に記載の光学装置。
【請求項１１】
前記装置は、前記装置の最小反射率状態にあるときに入射光の２０％未満を反射する、請求項１に記載の光学装置。
【請求項１２】
選択される偏極レベルは、前記能動吸収偏光子に印加される前記電圧を制御することにより選択され、前記能動吸収偏光子を前記選択された偏極レベルに設定することで、前記装置により生成される画像の明るさを決定する、請求項１に記載の光学装置。
【請求項１３】
前記能動吸収偏光子を制御するための制御装置を更に含み、
前記制御装置は、前記能動吸収偏光子と結合され、
前記能動吸収偏光子は、２つ以上の部分に分割され、
前記制御装置は、前記部分の各々を各偏極レベルに設定する、請求項１に記載の光学装置。
【請求項１４】
制御装置と結合した少なくとも１つの光検出器を更に含み、
前記少なくとも１つの光検出器は、少なくとも１つの光強度値を与え、
前記制御装置は、前記少なくとも１つの光強度値に従って前記能動吸収偏光子を選択された偏極レベルに設定する、請求項１に記載の光学装置。
【請求項１５】
前記光学装置の非可視側に配置されたディスプレイを更に含み、前記ディスプレイから放射された光の少なくとも一部は、前記光学装置の可視面の表示領域まで透過される、請求項１に記載の光学装置。
【請求項１６】
車両のリアビュー又はサイドビューミラーとして使用される請求項１に記載の光学装置。
【請求項１７】
光学装置から透過又は反射される光を低減する方法であって、
光学装置を使用する工程であって、前記光学装置は、
ａ．電子的に切り替え可能な能動吸収偏光子であって、当該能動吸収偏光子は、印加される電圧に応じて光の選択された偏波の吸収を変更し、これにより、エネルギーが与えられていない時に前記能動吸収偏光子がいずれかの偏波の光を送出する、能動吸収偏光子と、
ｂ．第１の静的反射偏光子と、
ｃ．電子的に切り替え可能な能動偏極回転子と、
ｄ．第２の静的反射偏光子と、
を含む工程と、
前記光学装置の一方又は両方の電子的に切り替え可能な要素に電圧を印加し、前記光学装置により透過又は反射される光の量を、電圧が印加されていない場合の最大反射及び最小透過から、最大電圧が印加された場合の最小反射及び最大透過へ変更する工程と、を含む方法。
【請求項１８】
前記能動偏光子を、エネルギーが与えられていないときに非吸収状態に設定し、かつ、電圧の印加によりエネルギーが与えられたときに入射光のｘ方向偏波を吸収し、ｙ方向偏波を透過するように設定する工程と、
前記第１の反射偏光子を、前記能動偏光子が吸収するのと同じｘ方向偏波を反射するように設定する工程と、
前記第２の反射偏光子を、光の直交的に反対のｙ方向偏波を反射するように設定する工程と、
前記能動偏極回転子を、エネルギーが与えられていないときに影響が無いように設定し、かつ、最大電圧によりエネルギーが与えられたときに、光の偏極方向を最大９０°まで回転するように設定する工程と、
ゼロ電圧と、最大電圧との間で変更可能な電圧を印加し、前記装置の反射率を変更する工程と、
を含む請求項１７に記載の方法。
【請求項１９】
可視面能動偏光子を、エネルギーが与えられていないときに非吸収状態に設定し、かつ、電圧の印加によりエネルギーが与えられたときに、入射光のｘ方向偏波を吸収し、ｙ方向偏波を透過するように設定する工程と、
前記第１及び第２の静的反射偏光子を、前記光のｘ方向偏波を反射するように設定する工程と、
前記能動偏極回転子を、最大電圧によりエネルギーが与えられたときに、影響が無いように設定するが、エネルギーが与えられていない状態のときに、光の偏極方向を９０°だけ回転するように設定する工程と
ゼロ電圧と、最大電圧との間で変更可能な電圧を印加し、前記装置の反射率を変更する工程と、
を含む請求項１７に記載の方法。
【請求項２０】
前記表示領域は、前記装置の可視面の全面にわたる、請求項１５記載の光学装置。
【請求項２１】
前記ディプレイは、前記光学装置が最小反射状態、最大反射状態、中間反射状態、又はこれらの組み合わせの何れかの時に視認可能になる、請求項１５記載の光学装置。
【請求項２２】
装置への可変電圧の印加により可変強度で光を反射する装置であって、
前記装置は、
第１の非切り替え可能な静的反射偏光子に隣接し、能動電気的切り替え可能偏極回転子に隣接し、第２の非切り替え可能な静的反射偏光子に隣接する能動吸収偏光子を有する可視面を有し、
前記能動吸収偏光子及び能動偏極回転子は電気的に切り替え可能であり、
エネルギーが与えられていない状態にあるときに、前記装置が最大反射率を有し、かつ、
前記能動吸収偏光子又は前記能動偏極回転子、或いはその両方へ印加される最大電圧によって活性化されたときに、前記装置が最小反射率を有するように設定される、光学装置。
【請求項２３】
前記装置は、当該装置が最大反射状態である時に、入射光の５０％よりも多く反射し、かつ、当該装置が最小反射状態である時に、入射光の２０％よりも少なく反射する、請求項２２記載の光学装置。
【請求項２４】
前記最大反射状態と、前記最小反射状態の振幅は５０％よりも大きい、請求項２２記載の光学装置。
【請求項２５】
前記装置は、窓、バイザ、又は、ヘルメットとして使用される、請求項２２記載の光学装置。